(57)【要約】【課題】遊技盤を遊技機本体に位置決め固定するための係止ピンと位置決めピンとの取り付け誤差を小さくする。【解決手段】遊技盤ベース５ａおよび遊技盤ベース５ａ上に配置された遊技部材５ｂを備えた遊技盤５と、遊技盤５に取り付けられ、位置決めピン１１ｂ，１２ｂ，１３ｂおよび係止ピン１１ｃ，１２ｃ，１３ｃが一体的に設けられたブラケット１１，１２，１３と、遊技盤５が着脱可能に装着され、位置決めピン１１ｂ，１２ｂ，１３ｂが嵌合する位置決め孔２１ｂ，２２ｂ，２３ｂおよび係止ピン１１ｃ，１２ｃ，１３ｃを係止して遊技盤５を固定する係止部２１ｃ，２２ｃ，２３ｃが設けられた遊技機本体２とを有する構成とする。遊技盤２の左側に取り付けられたブラケット１１に設けられた係止ピン１１ｃを係止する係止部２１ｃは係止ピン１１ｃを介して遊技盤５を回動自在に支持している。【選択図】        図８
2005160573.tif 000002
【特許請求の範囲】
【請求項１】
遊技盤ベースおよび前記遊技盤ベース上に配置された多数の障害物ならびに入賞装置からなる遊技部材を備えた遊技盤と、
前記遊技盤に取り付けられ、位置決めピンおよび係止ピンが一体的に設けられた支持板と、
前記遊技盤が着脱可能に装着され、前記位置決めピンが嵌合する位置決め孔および前記係止ピンを係止して前記遊技盤を固定する係止部が設けられた遊技機本体と、
を有することを特徴とする遊技機。
【請求項２】
前記位置決めピンは前記遊技盤の後方に突出し、前記係止ピンは前記遊技盤の側方または上下何れかの方向に突出していることを特徴とする請求項１記載の遊技機。
【請求項３】
前記遊技盤の左右何れかの端部上下に取り付けられた前記支持板に設けられた前記係止ピンを係止する前記係止部は前記係止ピンを介して前記遊技盤を回動自在に支持し、
前記遊技盤は前記係止ピンを支点にして回動可能に前記遊技機本体に取り付けられていることを特徴とする請求項１または２記載の遊技機。
【請求項４】
遊技盤ベースおよび前記遊技盤ベース上に配置された多数の障害物ならびに入賞装置からなる遊技部材を備え、位置決め孔および係止部が設けられた遊技盤と、
前記遊技盤が着脱可能に装着された遊技機本体と、
前記遊技機本体に取り付けられ、前記位置決め孔が嵌合する位置決めピンおよび前記係止部に係止されて前記遊技盤を固定する係止ピンが一体的に設けられた支持板と、
を有することを特徴とする遊技機。
【請求項５】
前記位置決めピンは前記遊技機本体の前方に突出し、前記係止ピンは前記遊技機本体の側方または上下何れかの方向に突出していることを特徴とする請求項４記載の遊技機。
【請求項６】
前記遊技盤の左右何れかの端部上下に対応した位置に取り付けられた前記支持板に設けられた前記係止ピンを係止する前記係止部は前記係止ピンを介して前記遊技盤を回動自在に支持し、
前記遊技盤は前記係止ピンを支点にして回動可能に前記遊技機本体に取り付けられていることを特徴とする請求項４または５記載の遊技機。
【発明の詳細な説明】
【技術分野】
【０００１】
本発明は、遊技機における遊技盤と遊技機本体との取り付け構造に関するものである。
【背景技術】
【０００２】
遊技機、特にパチンコ遊技機においては、パチンコ遊技の興趣を高め、遊技者を飽きさせないように各種の役物や表示装置等に工夫を凝らした遊技盤が使用されている。そして、遊技盤を新規なものに容易に入れ替えできるように、遊技盤を遊技機本体に対して着脱可能にしたものが多用されている。このようなパチンコ遊技機は、遊技機本体の前面に遊技盤を取り付けるようになっており、遊技機本体の裏面側に、遊技動作の制御を行う制御基板等が設置されている。
【０００３】
ここで、従来では、たとえば特開２００１−３２１５２８号公報に記載のように、係止ピンが設けられたブラケット（支持板）が遊技盤に取り付けられており、遊技盤を遊技機本体に取り付けてブラケットの係止ピンを遊技機本体に設けられた係止部に係止することにより遊技盤が遊技機本体に固定されるようになっている。また、遊技盤には位置決めピンが取り付けられており、遊技盤を遊技機本体に取り付ける際には、先ずこの位置決めピンを遊技機本体に形成された位置決め孔に嵌合させて両者の位置合わせを行い、その後、前述のように係止ピンを係止部に係止していた。
【特許文献１】特開２００１−３２１５２８号公報
【発明の開示】
【発明が解決しようとする課題】
【０００４】
このような従来の技術では、位置決めピンに取り付け誤差が生じてしまうと遊技盤を遊技機本体に取り付けにくくなるし、たとえ位置決めピンに取り付け誤差が生じていなくても、係止ピンに取り付け誤差が生じてしまうと、やはり遊技盤を遊技機本体に取り付けにくくなる。
【０００５】
特に、従来の技術では、製造工程において、遊技盤に対するブラケットの取り付けと位置決めピンの取り付けとが別に行われるので、両者の取り付け誤差が生じやすくなる。
【０００６】
すると、遊技機本体の係止部および位置決め孔が精度よく作製されていても、遊技盤が遊技機本体に取り付けにくくなるという問題を生じていた。
【０００７】
そこで、本発明は、遊技機において、遊技盤を遊技機本体に位置決め固定するための係止ピンと位置決めピンとの取り付け誤差を小さくして遊技盤を遊技機本体に取り付けやすくすることのできる技術を提供することを目的とする。
【課題を解決するための手段】
【０００８】
上記課題を解決するため、本発明に係る遊技機は、遊技盤ベースおよび前記遊技盤ベース上に配置された多数の障害物ならびに入賞装置からなる遊技部材を備えた遊技盤と、前記遊技盤に取り付けられ、位置決めピンおよび係止ピンが一体的に設けられた支持板と、前記遊技盤が着脱可能に装着され、前記位置決めピンが嵌合する位置決め孔および前記係止ピンを係止して前記遊技盤を固定する係止部が設けられた遊技機本体と、を有することを特徴とする。
【０００９】
このように、支持板に係止ピンと位置決めピンとを一体的に設けているので、製造段階における係止ピンと位置決めピンとの取り付け誤差がほとんどなくなる。
【００１０】
本発明の好ましい形態において、前記位置決めピンは前記遊技盤の後方に突出し、前記係止ピンは前記遊技盤の側方または上下何れかの方向に突出していることを特徴とする。
【００１１】
このように、支持板に係止ピンと位置決めピンとを一体的に設けているので、製造段階における係止ピンと位置決めピンとの取り付け誤差がほとんどなくなる。
【００１２】
本発明のさらに好ましい形態において、前記遊技盤の左右何れかの端部上下に取り付けられた前記支持板に設けられた前記係止ピンを係止する前記係止部は前記係止ピンを介して前記遊技盤を回動自在に支持し、前記遊技盤は前記係止ピンを支点にして回動可能に前記遊技機本体に取り付けられていることを特徴とする。
【００１３】
これにより、遊技盤を容易に遊技機本体に取り付けることが可能になる。
【００１４】
また、上記課題を解決するため、本発明に係る遊技機は、遊技盤ベースおよび前記遊技盤ベース上に配置された多数の障害物ならびに入賞装置からなる遊技部材を備え、位置決め孔および係止部が設けられた遊技盤と、前記遊技盤が着脱可能に装着された遊技機本体と、前記遊技機本体に取り付けられ、前記位置決め孔が嵌合する位置決めピンおよび前記係止部に係止されて前記遊技盤を固定する係止ピンが一体的に設けられた支持板と、を有することを特徴とする。
【００１５】
このように、支持板に係止ピンと位置決めピンとを一体的に設けているので、製造段階における係止ピンと位置決めピンとの取り付け誤差がほとんどなくなる。
【００１６】
本発明の好ましい形態において、前記位置決めピンは前記遊技機本体の前方に突出し、前記係止ピンは前記遊技機本体の側方または上下何れかの方向に突出していることを特徴とする。
【００１７】
このように、支持板に係止ピンと位置決めピンとを一体的に設けているので、製造段階における係止ピンと位置決めピンとの取り付け誤差がほとんどなくなる。
【００１８】
本発明のさらに好ましい形態において、前記遊技盤の左右何れかの端部上下に対応した位置に取り付けられた前記支持板に設けられた前記係止ピンを係止する前記係止部は前記係止ピンを介して前記遊技盤を回動自在に支持し、前記遊技盤は前記係止ピンを支点にして回動可能に前記遊技機本体に取り付けられていることを特徴とする。
【００１９】
これにより、遊技盤を容易に遊技機本体に取り付けることが可能になる。
【発明の効果】
【００２０】
本発明によれば、以下の効果を奏することができる。
【００２１】
すなわち、支持板に係止ピンと位置決めピンとを一体的に設けているので、製造段階における係止ピンと位置決めピンとの取り付け誤差がほとんどなくなる。
【００２２】
これにより、位置決めピンを位置決め孔に嵌合すれば直ちに係止ピンは係止部に係止されるようになるので、遊技盤を遊技機本体にスムーズに取り付けることが可能になる。
【発明を実施するための最良の形態】
【００２３】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２４】
図１は本発明の一実施の形態であるパチンコ遊技機を示す斜視図、図２は図１のパチンコ遊技機において前面枠を開いて示す分解斜視図、図３は図１のパチンコ遊技機に備えられた遊技盤とこの遊技盤に取り付けられたブラケットを示す斜視図、図４は図３の遊技盤に取り付けられた左下に位置するブラケットを示す斜視図、図５は図３の遊技盤に取り付けられた左下に位置するブラケットを図４とは異なる方向から示す斜視図、図６は図３の遊技盤に取り付けられた右下に位置するブラケットを示す斜視図、図７は図３の遊技盤に取り付けられた右下に位置するブラケットを図６とは異なる方向から示す斜視図、図８は遊技盤と遊技機本体との位置関係を示す分解斜視図、図９は遊技盤と遊技機本体との位置関係を図８とは異なる方向から示す分解斜視図、図１０は図４および図５のブラケットに設けられた係止ピンを係止する係止部を示す正面図、図１１は図３の遊技盤における左上端部のブラケットに設けられた係止ピンを係止する係止部を示す正面図、図１２は位置決めピンと位置決め孔との嵌合状態および係止ピンと係止部との係止状態を示す説明図である。
【００２５】
図１および図２に示すように、パチンコ遊技機（遊技機）１は、遊技機本体２に前面枠３が開閉可能に取り付けられている。前面枠３には透明なガラス板９が取り付けられており、その裏面側には遊技盤５がこのガラス板９を通して視認可能に、且つ遊技機本体２に対して着脱可能に装着されている。なお、遊技盤５の取り付け構造については後述する。
【００２６】
遊技盤５は、遊技盤ベース５ａと、遊技盤ベース５ａ上の前面枠３に包囲された領域に配置された多数の遊技くぎや風車などの障害物や入賞装置等からなる遊技部材５ｂで構成されており、発射された遊技球が打ち込まれて流下する遊技領域５ｃがある。
【００２７】
遊技盤５の下方には、払い出された遊技球および遊技領域５ｃに打ち込まれる遊技球が貯留される上皿６ａが配置され、上皿６ａの下方には、払い出しにより上皿６ａからオーバーフローした遊技球が貯留される下皿６ｂが配置されている。また、上皿６ａの下方右側には、レール７を介して遊技盤５の遊技領域５ｃへ遊技球を打ち込む際に回動操作されるハンドル８が設けられている。
【００２８】
また、遊技領域５ｃの周囲に位置する前面枠３には、その上部の左右にスピーカ４ａ，４ｂがそれぞれ配置されている。
【００２９】
遊技盤５には、後方に配置された例えば液晶ディスプレイ、ＣＲＴ（陰極線管）あるいはプラズマディスプレイ等からなり、画像信号入力に基づいて任意の画像を表示する図柄表示部１０が、遊技盤５に開口された孔などの透過領域（図示せず）を介して視認可能に配置されている。
【００３０】
ここで、図３に示すように、四角形の遊技盤５には、その４カ所の隅部にブラケット（支持板）１１，１２，１３，１４が取り付けられている。
【００３１】
図３、図４および図５に示すように、遊技盤５の左下に取り付けられたブラケット１１は、遊技盤５の前面、底端面および背面の３面に接する形状を有している。そして、ブラケット１１の遊技盤前面に位置する部分に内側に向けて設けられた取り付けピン１１ａが遊技盤５に形成された取り付け孔（図示せず）と嵌合することにより遊技盤５に固定されている。なお、ブラケット１１には２つの取り付けピン１１ａが設けられているが、一方のみしか図示されていない。
【００３２】
また、ブラケット１１には、位置決めピン１１ｂおよび係止ピン１１ｃが一体的に設けられている。図示するように、位置決めピン１１ｂは遊技盤５の後方に突出しており、係止ピン１１ｃは遊技盤５の下方向に突出している。
【００３３】
図３、図６および図７に示すように、遊技盤５の右下に取り付けられたブラケット１２は、遊技盤５の前面、右端面および背面の３面に接する形状を有している。そして、ブラケット１１と同じように、ブラケット１２の遊技盤前面に位置する部分に内側に向けて設けられた取り付けピン１２ａが遊技盤５に形成された取り付け孔（図示せず）と嵌合することにより遊技盤５に固定されている。なお、ここでも、ブラケット１２に設けられた２つのうちの一方の取り付けピン１２ａしか図示されていない。
【００３４】
このブラケット１２には、遊技盤５の後方に突出した位置決めピン１２ｂおよび遊技盤５の側方に突出した係止ピン１２ｃが一体的に設けられている。
【００３５】
図３に示すように、遊技盤５の右上に取り付けられたブラケット１３は、ブラケット１２と同じく、遊技盤５の前面、右端面および背面の３面に接する形状を有している。そして、ブラケット１３の遊技盤前面に位置する部分に内側に向けて設けられた取り付けピン（図示せず）が遊技盤５に形成された取り付け孔（図示せず）と嵌合することにより遊技盤５に固定されている。
【００３６】
このブラケット１３にも、遊技盤５の後方に突出した位置決めピン１３ｂおよび遊技盤５の側方に突出した係止ピン１３ｃが一体的に設けられている。
【００３７】
そして、図３に示すように、遊技盤５の左上に取り付けられたブラケット１４は、遊技盤５の前面および上端面の２面に接する形状を有している。そして、ブラケット１４の遊技盤前面に位置する部分に内側に向けて設けられた取り付けピン（図示せず）が遊技盤５に形成された取り付け孔（図示せず）と嵌合することにより遊技盤５に固定されている。
【００３８】
このブラケット１４には、遊技盤５の側方に突出した係止ピン１４ｃが設けられている。したがって、ブラケット１１，１２，１３のような位置決めピン１１ｂ，１２ｂ，１３ｂは設けられていない。
【００３９】
後述するように、位置決めピンは遊技盤５の遊技機本体２に対する位置決めを行うものであるため、何れか１つのブラケットに設けられていればよい。また、位置決めピン１１ｂ，１２ｂ，１３ｂおよび係止ピン１１ｃ，１２ｃ，１３ｃ，１４ｃの突出方向は前述した方向に限定されるものではない。
【００４０】
図８および図９に示すように、遊技機本体２には、位置決めピン１１ｂ，１２ｂ，１３ｂが嵌合する位置決め孔２１ｂ，２２ｂ，２３ｂおよび係止ピン１１ｃ，１２ｃ，１３ｃ，１４ｃを係止して遊技盤５を固定する係止部２１ｃ，２２ｃ，２３ｃ，２４ｃが設けられている。
【００４１】
ここで、遊技盤５の左下に取り付けられたブラケット１１に設けられた係止ピン１１ｃを係止する係止部２１ｃは、図１０に詳しく示すように、開放端が前面側に位置して上方を向き、左奥に向かって傾斜した係止溝２１ｃ１が形成されており、この係止溝２１ｃ１に係止ピン１１ｃが係止される。また、遊技盤５の左上に取り付けられたブラケット１４に設けられた係止ピン１４ｃを係止する係止部２４ｃは、図１１に詳しく示すように、開放端が前面側に位置して下方を向き、同様に左奥に向かって傾斜した係止溝２４ｃ１が形成されており、この係止溝２４ｃ１に係止ピン１４ｃが係止される。
【００４２】
このような係止部２１ｃの係止溝２１ｃ１に係止ピン１１ｃを開放端から嵌め込んで奥まで押し込むとともに、係止部２４ｃの係止溝２４ｃ１に係止ピン１４ｃを開放端から嵌め込んで奥まで押し込むことにより、遊技盤５は係止ピン１１ｃ，１４ｃを介して係止部２１ｃ，２４ｃに回動自在に支持される。そして、係止部２１ｃ，２４ｃは遊技機本体２に設けられていることから、遊技盤５は係止ピン１１ｃ，１４ｃを支点にしたヒンジ構造により回動可能に遊技機本体２に取り付けられることになる。
【００４３】
遊技機の右下および右上に取り付けられたブラケット１２，１３に設けられた係止ピン１２ｃ，１３ｃを形成する係止部２２ｃ，２３ｃには、前面に向けて開放した略Ｕ字形をして係止ピン１２ｃ，１３ｃが嵌り込む係止溝２２ｃ１，２３ｃ１が形成されている。また、係止部２２ｃ，２３ｃには、係止溝２２ｃ１，２３ｃ１を閉じた位置（閉位置）において係止部２２ｃ，２３ｃにロックされて係止ピン１２ｃ，１３ｃの係止溝２２ｃ１，２３ｃ１からの離脱を阻止するロックレバー２２ｃ２，２３ｃ２が閉位置と開位置とに回動可能に設けられている。
【００４４】
以上に説明した構成によれば、先ず、係止ピン１１ｃ，１４ｃを係止部２１ｃ，２４ｃに係止させて遊技盤５を回動可能に遊技機本体２に取り付ける。次に、このような遊技盤５を回動して位置決めピン１１ｂ，１２ｂ，１３ｂを位置決め孔２１ｂ，２２ｂ，２３ｂに嵌合させるとともに係止ピン１２ｃ，１３ｃを係止部２２ｃ，２３ｃに係止し、係止部２２ｃ，２３ｃに設けられたロックレバー２２ｃ２，２３ｃ２を閉位置にすることにより、遊技盤５は遊技機本体２に装着される（図１２）。
【００４５】
このとき、ブラケット１１，１２，１３には係止ピン１１ｃ，１２ｃ，１３ｃと位置決めピン１１ｂ，１２ｂ，１３ｂとが一体的に設けられているので、製造段階における係止ピン１１ｃ，１２ｃ，１３ｃと位置決めピン１１ｂ，１２ｂ，１３ｂとの取り付け誤差がほとんどない。
【００４６】
これにより、位置決めピン１１ｂ，１２ｂ，１３ｂを位置決め孔２１ｂ，２２ｂ，２３ｂに嵌合すれば直ちに係止ピン１１ｃ，１２ｃ，１３ｃは係止部２１ｃ，２２ｃ，２３ｃに係止されるようになるので、遊技盤５を遊技機本体２にスムーズに取り付けることが可能になる。
【００４７】
以上の説明においては、遊技盤５の左側が回動支点となっているが、右側を回動支点としてもよい。また、このようなヒンジ構造ではなく、４カ所全ての係止部を単に係止ピンを係止するだけの構造、たとえば前述した係止部２２ｃ，２３ｃのような構造としてもよい。但し、本実施の形態のようにヒンジ構造とした方が、遊技盤５が取り付けやすくなるので望ましい。
【００４８】
さらに、以上の説明においては、ブラケット１１〜１４が遊技盤５に取り付けられ、ブラケット１１〜１４に設けられた位置決めピン１１ｂ，１２ｂ，１３ｂと嵌合する位置決め孔２１ｂ，２２ｂ，２３ｂおよび係止ピン１１ｃ，１２ｃ，１３ｃ，１４ｃを係止する係止部２１ｃ，２２ｃ，２３ｃ，２４ｃは遊技機本体２に設けられているが、逆であってもよい。すなわち、位置決め孔および係止部が遊技盤５に設けられ、位置決め孔が嵌合する位置決めピンおよび係止部に係止されて遊技盤５を固定する係止ピンが一体的に設けられたブラケットが遊技機本体２に取り付けられていてもよい。
【００４９】
この場合にも、位置決めピンは遊技機本体２の前方に突出して、係止ピンは遊技機本体２の側方、上下方向に突出して設けることができる。
【００５０】
また、遊技盤５の左右何れかの端部上下に対応した位置に取り付けられたブラケットに設けられた係止ピンを係止する係止部により遊技盤５を回動自在に支持し、これにより遊技盤５を係止ピンを支点にして回動可能に遊技機本体２に取り付けることができる。
【産業上の利用可能性】
【００５１】
以上の説明においては、本発明を遊技機の一つであるパチンコ遊技機１に適用した場合が説明されているが、本発明はこれに限定されるものではなく、パチスロ機、あるいはゲームセンターに設置された各種ゲーム機など、種々の遊技機に適用することが可能である。
【図面の簡単な説明】
【００５２】
【図１】本発明の一実施の形態であるパチンコ遊技機を示す斜視図である。
【図２】図１のパチンコ遊技機において前面枠を開いて示す分解斜視図である。
【図３】図１のパチンコ遊技機に備えられた遊技盤とこの遊技盤に取り付けられたブラケットを示す斜視図である。
【図４】図３の遊技盤に取り付けられた左下に位置するブラケットを示す斜視図である。
【図５】図３の遊技盤に取り付けられた左下に位置するブラケットを図４とは異なる方向から示す斜視図である。
【図６】図３の遊技盤に取り付けられた右下に位置するブラケットを示す斜視図である。
【図７】図３の遊技盤に取り付けられた右下に位置するブラケットを図６とは異なる方向から示す斜視図である。
【図８】遊技盤と遊技機本体との位置関係を示す分解斜視図である。
【図９】遊技盤と遊技機本体との位置関係を図８とは異なる方向から示す分解斜視図である。
【図１０】図４および図５のブラケットに設けられた係止ピンを係止する係止部を示す正面図である。
【図１１】図３の遊技盤における左上端部のブラケットに設けられた係止ピンを係止する係止部を示す正面図である。
【図１２】位置決めピンと位置決め孔との嵌合状態および係止ピンと係止部との係止状態を示す説明図である。
【符号の説明】
【００５３】
１  パチンコ遊技機（遊技機）
２  遊技盤
３  前面枠
５  遊技盤
５ａ  遊技盤ベース
５ｂ  遊技部材
５ｃ  遊技領域
１１〜１４  ブラケット（支持板）
１１ｂ，１２ｂ，１３ｂ  位置決めピン
１１ｃ，１２ｃ，１３ｃ，１４ｃ  係止ピン
２１ｂ，２２ｂ，２３ｂ  位置決め孔
２１ｃ，２２ｃ，２３ｃ，２４ｃ  係止部
【図１】
2005160573.tif 000003
【図２】
2005160573.tif 000004
【図３】
2005160573.tif 000005
【図４】
2005160573.tif 000006
【図５】
2005160573.tif 000007
【図６】
2005160573.tif 000008
【図７】
2005160573.tif 000009
【図８】
2005160573.tif 000010
【図９】
2005160573.tif 000011
【図１０】
2005160573.tif 000012
【図１１】
2005160573.tif 000013
【図１２】
2005160573.tif 000014